(57)【要約】      （修正有）【課題】ノズル流路を流通する液体を噴孔から噴霧する際に、噴孔から十分に微粒化されたミストを勢い良く噴霧することができる液体噴霧装置を提供する。【解決手段】ノズル流路１を流通する液体Ｗを噴孔２から噴霧する液体噴霧装置１００において、ノズル流路１の流路断面方向に延出する作動部１０と、作動部１０を噴孔２における噴霧方向Ｘに対する周方向Ｙに回転させる回転駆動部２０とを備える。【選択図】図１
2006272070.tif 000002
【特許請求の範囲】
【請求項１】
ノズル流路を流通する液体を噴孔から噴霧する液体噴霧装置であって、
前記ノズル流路の流路断面方向に延出する作動部と、
前記作動部を前記噴孔における噴霧方向に対する周方向に回転させる回転駆動部とを備えた液体噴霧装置。
【請求項２】
前記作動部が、内部に前記ノズル流路を形成するノズル本体側に固定され、
前記回転駆動部が、前記ノズル本体を前記周方向に回転させるように構成されている請求項１に記載の液体噴霧装置。
【請求項３】
前記噴霧方向に変位して前記ノズル流路の先端側内壁との間の流路断面積を調整可能な調整部材と、
前記調整部材を前記噴霧方向に変位させて前記ノズル流路における前記液体の流量を調整可能な流量調整手段とを備えた請求項１又は２に記載の液体噴霧装置。
【請求項４】
前記作動部が、前記ノズル流路内に前記周方向に回転自在に設けられた軸部側に固定され、
前記回転駆動部が、前記軸部を前記周方向に回転させるように構成されている請求項１に記載の液体噴霧装置。
【請求項５】
前記軸部に、前記噴霧方向に変位して前記ノズル流路の先端側内壁との間の流路断面積を調整可能な調整部材を備え、
前記軸部を前記噴霧方向に変位させて前記ノズル流路における前記液体の流量を調整可能な流量調整手段を備えた請求項４に記載の液体噴霧装置。
【請求項６】
前記回転駆動部が、前記作動部の回転速度を調整可能に構成されている請求項１から５の何れか一項に記載の液体噴霧装置。
【発明の詳細な説明】
【技術分野】
【０００１】
本発明は、ノズル流路を流通する液体を噴孔から噴霧する液体噴霧装置に関する。
【背景技術】
【０００２】
上記のような噴孔から液体のミストを噴霧する液体噴霧装置として、浴室に温水のミストを噴霧することで、浴室をミストサウナとして利用するミストサウナ装置が知られている（例えば、特許文献１を参照。）。
【０００３】
また、このような液体噴霧装置では、噴孔から噴霧されるミストの粒径を、使用者の嗜好やその利用用途等に合わせて、できるかぎり微細化することが望まれる場合がある。
そこで、液体噴霧装置において、噴孔から噴霧されるミストを微粒化する方法として、ノズル流路内に、液体の流れを噴孔における噴霧方向周りの螺旋方向に延出する螺旋溝を形成し、ノズル流路において液体を螺旋溝に流通させることで、その液体の旋回速度を増加させる方法が知られている（例えば、特許文献２を参照。）。
【０００４】
【特許文献１】特開２００１−２７６１７０号公報
【特許文献２】特開２００４−９２９５２号公報
【発明の開示】
【発明が解決しようとする課題】
【０００５】
しかしながら、上記特許文献２に記載の液体噴霧装置では、ノズル流路に形成された螺旋溝に液体を流通させても、液体の旋回速度を十分に増加させることができず、噴孔から十分に微細化されたミストを噴霧することができない場合がある。
また、特に、液体として水道水を噴霧する場合には、その水道水の供給圧力が比較的低いことから、液体の旋回速度が増加することにより、液体の噴霧方向における速度が低下して、噴孔から噴霧されるミストの勢いが低下してしまう場合がある。
【０００６】
本発明は、上記の課題に鑑みてなされたものであり、その目的は、ノズル流路を流通する液体を噴孔から噴霧する際に、噴孔から十分に微粒化されたミストを勢い良く噴霧することができる液体噴霧装置を提供する点にある。
【課題を解決するための手段】
【０００７】
上記目的を達成するための本発明に係る液体噴霧装置は、ノズル流路を流通する液体を噴孔から噴霧する液体噴霧装置であって、その第１特徴構成は、前記ノズル流路の流路断面方向に延出する作動部と、
前記作動部を前記噴孔における噴霧方向に対する周方向に回転させる回転駆動部とを備えた点にある。
【０００８】
上記第１特徴構成によれば、上記ノズル流路の流路断面方向に延出する作動部を設けると共に、上記回転駆動部により、その作動部を周方向に回転させることで、その回転力によりノズル流路における液体の旋回速度を十分に増加させることができる。よって、噴孔に導かれる液体の噴霧方向における速度を十分に確保して、噴孔において勢いよくミストを噴霧しながら、噴孔に導かれる液体の旋回速度を増加させて、そのミストを十分に微粒化することができる。
【０００９】
本発明に係る液体噴霧装置の第２特徴構成は、前記作動部が、内部に前記ノズル流路を形成するノズル本体側に固定され、
前記回転駆動部が、前記ノズル本体を前記周方向に回転させるように構成されている点にある。
【００１０】
上記第２特徴構成によれば、上記作動部が上記ノズル本体に固定されている場合には、上記回転駆動部により、そのノズル本体を回転させることで、上記作動部を周方向に回転させ、その回転力によりノズル流路における液体の旋回速度を十分に増加させることができる。
【００１１】
本発明に係る液体噴霧装置の第３特徴構成は、前記噴霧方向に変位して前記ノズル流路の先端側内壁との間の流路断面積を調整可能な調整部材と、
前記調整部材を前記噴霧方向に変位させて前記ノズル流路における前記液体の流量を調整可能な流量調整手段とを備えた点にある。
【００１２】
上記第３特徴構成によれば、上記ノズル流路に上記調整部材を設け、上記流量調整手段により、その調整部材を変位させて、ノズル流路の噴孔が形成された先端側内壁とその調整部材との間の流路断面積を調整することで、ノズル流路において液体に付加される圧力損失を変化させて、液体の流量を調整することができる。そして、このようにノズル流路における液体流量を調整すれば、噴孔から噴霧されるミストの噴霧量を調整することができ、更には、液体の流速が変化することにより、噴孔から噴霧されるミストの粒径も調整することができる。
【００１３】
本発明に係る液体噴霧装置の第４特徴構成は、前記作動部が、前記ノズル流路内に前記周方向に回転自在に設けられた軸部側に固定され、
前記回転駆動部が、前記軸部を前記周方向に回転させるように構成されている点にある。
【００１４】
上記第４特徴構成によれば、上記作動部が上記ノズル流路の中心に設けられた軸部に固定されている場合には、上記回転駆動部により、その軸部を回転させることで、上記作動部を周方向に回転させ、その回転力によりノズル流路における液体の旋回速度を十分に増加させることができる。
【００１５】
本発明に係る液体噴霧装置の第５特徴構成は、前記軸部に、前記噴霧方向に変位して前記ノズル流路の先端側内壁との間の流路断面積を調整可能な調整部材を備え、
前記軸部を前記噴霧方向に変位させて前記ノズル流路における前記液体の流量を調整可能な流量調整手段を備えた点にある。
【００１６】
上記第５特徴構成によれば、上記軸部を上記調整部材として構成し、上記流量調整手段により、その調整部材を変位させて、ノズル流路の噴孔が形成された先端側内壁とその調整部材との間の流路断面積を調整することで、ノズル流路において液体に付加される圧力損失を変化させて、液体の流量を調整することができる。そして、このようにノズル流路における液体流量を調整すれば、噴孔から噴霧されるミストの噴霧量を調整することができ、更には、液体の流速が変化することにより、噴孔から噴霧されるミストの粒径も調整することができる。
【００１７】
本発明に係る液体噴霧装置の第６特徴構成は、前記回転駆動部が、前記作動部の回転速度を調整可能に構成されている点にある。
【００１８】
上記第６特徴構成によれば、上記回転駆動部により作動部の回転速度を調整可能とすることで、噴孔に導かれる液体の旋回速度を調整することができ、結果、噴孔から噴霧されるミストの噴霧量を殆ど変化させることなく、噴孔から噴霧されるミストの粒径を調整することができる。
【発明を実施するための最良の形態】
【００１９】
本発明の実施の形態について、図面に基づいて説明する。
図１及び図２に示す液体噴霧装置１００，２００は、筒状のノズル本体３内に形成されたノズル流路１を流通する水Ｗ（液体の一例）を噴孔２から噴霧するものであり、更に、ノズル流路１の流路断面方向に延出する作動部１０と、その作動部１０を噴孔２における噴霧方向Ｘに対する周方向Ｙに回転させる回転駆動部２０とを備えることで、その作動部１０の回転力をノズル流路１における水Ｗの旋回速度を十分に増加させて、噴孔２に導かれる水Ｗの旋回方向の速度を増加させて、噴孔２から噴霧されるミストＭを微粒化するように構成されている。
また、ノズル流路１を流通する水Ｗの噴霧方向Ｘにおける速度は十分に確保されているから、噴孔２からミストＭが勢い良く噴霧される。
【００２０】
詳しくは、液体噴霧装置１００，２００には、水Ｗを円形の流路断面を有するノズル流路３に流入させて、そのノズル流路３の後端側に形成された噴孔２から噴霧するように構成されている。
そして、上記ノズル流路３に配置された作動部１０が周方向Ｙに回転することにより、噴孔２に導かれる水Ｗの旋回速度を十分に増加させて、その旋回力により噴孔２から噴出されるミストＭの微粒化が促進される。
【００２１】
尚、ノズル流路１の流路断面方向に延出する作動部１０としては、周方向Ｙに面する板状や、ノズル流路１を螺旋状に旋回する螺旋状の板状体で構成することができ、例えば、作動部１０を上記回転駆動部２０による作動部１０の回転方向に沿った螺旋状の板状体で構成することで、ノズル流路１において水Ｗがその螺旋状の作動部１０に沿って流通することで、水Ｗの旋回速度を一層増加させることができる。
また、上記作動部１０が回転することによりノズル流路１にキャビテーションを発生させると、そのキャビテーションによる水Ｗの乱流により噴孔２にから噴出されるミストＭの一層微粒化を図ることができる。
【００２２】
更に、液体噴霧装置１００，２００には、噴霧方向Ｘに変位してノズル流路１の先端側内壁４との間の流路断面積を調整可能な調整部材１１と、その調整部材１１を噴霧方向Ｘに変位させてノズル流路１における水Ｗの流量を調整可能な流量調整手段３０とを備え、この流量調整手段３０によりノズル流路１における水Ｗの流量を調整することで、噴孔２から噴霧されるミストＭの噴霧量を調整し、更には、噴孔２から噴霧されるミストＭの粒径も調整するように構成されている。
【００２３】
詳しくは、上記調整部材１１は、先端側ほど縮径するノズル流路１の先端側内壁４に沿って、先端側ほど縮径する錘状に形成されている。更に、ノズル流路１の中心に配置された軸部材１２（軸部）と、この軸部材１２がノズル本体２に対して噴霧方向Ｘに沿って変位可能に支持する支持部５とを備え、この軸部材１２に上記調整部材１１が固定されている。
尚、この支持部５は、上記軸部材１２をノズル本体３の壁面を貫通させる形態で支持するように構成されており、更に、内部のノズル流路１を流通する水Ｗの漏洩を防止するようシール構造とされている。
【００２４】
上記調整部材１１は、軸部材１２と共に噴霧方向Ｘに沿って変位可能となり、この調整部材１１が噴霧方向Ｘに沿って変位することで、調整部材１１の先端側外面１１ａとノズル流路１の先端側内壁４との間の流路断面積が変化することになる。
【００２５】
また、上記流量調整手段３０は、上記軸部材１２の基端側に連結されたラック３１とそのラック３１を噴霧方向Ｘに摺動させるためのピニオン３２と、そのピニオン３２を回転操作するためのツマミ部３３とで構成されており、利用者がそのツマミ部３３を回転操作することで、ピニオン３２の回転動作をラック３１の摺動動作に変換して、そのラック３１の摺動動作に伴って軸部材１２を噴霧方向Ｘに変位させることができる。
【００２６】
更に、詳細については後述するが、回転駆動部２０は、作動部１０の回転速度を調整可能に構成されており、このように作動部１０の回転速度を調整可能とすることで、噴孔２から噴霧されるミストＭの噴霧量を殆ど変化させることなく、噴孔２に導かれる水Ｗの旋回速度を調整して、噴孔２から噴霧されるミストＭの粒径を調整するように構成されている。
【００２７】
以下に、上記作動部１０及び上記回転駆動部２０の具体的構成として、図１に示される第１実施形態の液体噴霧装置１００、及び、図２に示される第２実施形態の液体噴霧装置２００の夫々の構成について、説明を加える。
【００２８】
〔第１実施形態〕
図１に示す液体噴霧装置１００は、作動部１０が、ノズル流路１内に周方向に回転自在に設けられた軸部材１２側に固定されており、回転駆動部２０が、その軸部材１２を周方向に回転させるように構成されている。
【００２９】
即ち、作動部１０が、軸部材１２に固定された調整部材１１の外面から放射状に延出する形態で形成されており、更に、回転駆動部２０が、その軸部材１２の基端側に連結されたモータ２１により軸部材１２を回転駆動するように構成されている。
【００３０】
また、このモータ２１は、コントローラ２５により回転速度を調整可能に構成されており、このようにモータ２５の回転速度を調整することにより、作動部１０の回転速度及び噴孔２に導かれる水Ｗの旋回速度を調整して、噴孔２から噴霧されるミストＭの粒径が調整される。
【００３１】
更に、モータ２１は、上記軸部材１２と共に噴霧方向Ｘに沿って変位可能に支持されており、更に、流量調整手段３０を構成するラック３１が、上記モータ２１の後端側に連結されている。
よって、流量調整手段３０により水Ｗの流量を調整する際には、ラック３１の摺動に伴って軸部材１２に連結されたモータ２１自身が噴霧方向Ｘに沿って変位することになる。
【００３２】
〔第２実施形態〕
図２に示す液体噴霧装置２００は、上記第１実施形態と同様の構成については説明を割愛するが、作動部１０が、ノズル本体３側に固定され、回転駆動部２０が、ノズル本体３自身を周方向に回転させるように構成されている。
【００３３】
即ち、作動部１０が、そのノズル本体３の内壁から中心に向けて延出する形態で形成されている。
【００３４】
更に、先端側の噴孔２が形成された略円柱状のノズル本体３が、その基端側の支持本体３ａに対して、回転支持部６により周方向Ｙに回転自在に支持されており、更に、回転駆動部２０が、モータ２１によりノズル本体３を、回転ベルト２４を介して回転駆動するように構成されている。
尚、モータ２１の回転軸と、ノズル本体３の外周とには、上記回転ベルト２４が嵌合されるプーリー部２２，２３が設けられており、この夫々のプーリー部２２，２３の相対的な直径を適宜設定することにより、ノズル本体３の回転速度を適切なものとすることができる。
また、上記回転支持部６は、内部のノズル流路１を流通する水Ｗの漏洩を防止するようシール構造とされている。
【００３５】
また、このモータ２１は、コントローラ２５により回転速度を調整可能に構成されており、このようにモータ２５の回転速度を調整することにより、作動部１０の回転速度及び噴孔２に導かれる水Ｗの旋回速度を調整して、噴孔２から噴霧されるミストＭの粒径が調整される。
【００３６】
〔ミストサウナ装置〕
また、これまで説明してきた第１実施形態及び第２実施形態の液体噴霧装置１００，２００は、図３に示すように、温水ＷのミストＭを浴室４１に噴霧して、浴室４１をミストサウナとして利用することができるミストサウナ装置として構成することができ、そのミストサウナ装置について説明を加える。
【００３７】
液体噴霧装置１００，２００は、給湯暖房機４２から供給された温水Ｗを噴孔２から浴室４１内に噴霧するように、浴室４１の壁面に設けられている。
【００３８】
このミストサウナ装置の運転を制御する制御装置４５は、その液体噴霧装置１００，２００に温水Ｗを供給する給湯暖房機４２の作動を制御することで、液体噴霧装置１００，２００への温水Ｗの供給の開始及び停止、温水Ｗの温度や供給量の設定等を行うことができる。
また、浴室４１の側壁には、制御装置４５に運転指示を与えるリモコン４６が設けられている。
このリモコン４６には、図示は省略するが、使用者が認識可能な状態で情報を表示する表示部や、使用者が操作するためのボタン等が配置された操作部等が設けられている。
【００３９】
また、この液体噴霧装置１００，２００には、これまで説明してきた第１及び第２実施形態と同様に、ノズル流路１の流路断面方向に延出する作動部１０と、その作動部１０を噴孔２における噴霧方向Ｘに対する周方向Ｙに回転させる回転駆動部２０とが設けられている。
そして、制御装置４５は、液体噴霧装置１００，２００を作動させて温水Ｗを噴霧する際に、上記回転駆動部２０を作動させて、噴孔２から微粒化されたミストＭを噴霧するように構成されており、更には、回転駆動部２０による作動部１０の回転速度を調整することで、そのミストＭの粒径を利用者の嗜好にあった適切なものに調整することができる。
【００４０】
〔別実施形態〕
（１）上記実施の形態では、軸部材１２に設けられた調整部材１１を噴霧方向に沿って変位させて水Ｗの流量を調整するための流量調整手段３０を設けたが、この流量調整手段３０は適宜省略しても構わない。
【００４１】
（２）上記実施の形態では、浴室４１に温水Ｗを噴霧するミストサウナ装置として構成される液体噴霧装置１００，２００について説明したが、別に、温水以外の別の液体を噴霧するように構成したり、浴室４１以外の別の場所に液体を噴霧するように構成しても構わない。
【産業上の利用可能性】
【００４２】
本発明に係る液体噴霧装置は、ノズル流路を流通する液体を噴孔から噴霧する際に、噴孔から十分に微粒化されたミストを勢い良く噴霧することができる液体噴霧装置として好適に利用可能である。
【図面の簡単な説明】
【００４３】
【図１】本発明に係る液体噴霧装置の第１実施形態の概略構成図
【図２】本発明に係る液体噴霧装置の第２実施形態の概略構成図
【図３】液体噴霧装置をミストサウナ装置に適用した形態を示す概略構成図
【符号の説明】
【００４４】
１：ノズル流路
３：ノズル本体
４：先端側内壁
１０：作動部
１１：調整部材
２０：回転駆動部
３０：流量調整手段
１００，２００：液体噴霧装置
Ｗ：水（液体）
【図１】
2006272070.tif 000003
【図２】
2006272070.tif 000004
【図３】
2006272070.tif 000005